(57)【特許請求の範囲】
【請求項１】
開いた傘布を裏向きに閉じることができるようにした雨傘において、
傘布（２０）を受ける複数の各傘骨（１１）が第１リブ（１１Ａ）の先端と第２リブ（１１Ｂ）の後端部近傍とを折畳み可能に連結して構成され、上記傘骨（１１）の第１リブ（１１Ａ）基部が上ろくろ（１２）に回動自在に連結され、上記上ろくろ（１２）が中棒（１０）に対して摺動可能に設けられ、受骨（１４）の基部が下ろくろ（１３）に回動可能に連結され、上記受骨（１４）の先端が上記傘骨（１１）の第１リブ（１１Ａ）の中央部に回動自在に連結され、上記受骨（１４）の先端部近傍と第２リブ（１１Ｂ）の後端とが連係リブ（１５）で相互に連係されており、
上記下ろくろ（１３）が上記中棒（１０）の下部から上記中棒（１０）を上方に摺動されたときに、上記上ろくろ（１２）が上方に押されて摺動されるとともに、上記中棒（１０）先端の係止部（１０Ｂ）に係止され、上記下ろくろ（１３）がさらに上方に摺動されたときに、上記受骨（１４）が斜め上方を指向して開くことによって、第１リブ（１１Ａ）が中棒（１０）に対して開くとともに、上記連係リブ（１５）が第２リブ（１１Ｂ）を傘布（２０）の張力に抗して第１リブ（１１Ａ）に対して伸展させ、これによって上記傘骨（１１）が下向き円弧状をなして傘布（２０）を開く一方、
上記下ろくろ（１３）が上記中棒（１０）を下方に摺動されたときに、上記受骨（１４）が中棒（１０）に対して閉じることによって、上記第１リブ（１１Ａ）が中棒（１０）に対して途中まで閉じるとともに、上記連係リブ（１５）が上記第２リブ（１１Ｂ）を第１リブ（１１Ａ）に対して上方を指向するように途中まで折り畳み、上記下ろくろ（１３）がさらに下方に摺動されたときに、上記上ろくろ（１２）は下方に引っ張られ、上記係止部（１０Ｂ）から離脱し、下方に摺動されて中棒（１０）中段の係止段部（１０Ａ）によって下方への摺動を規制され、上記上ろくろ（１２）の係止状態で上記下ろくろ（１３）がさらに下方に摺動されたときに、上記受骨（１４）が中棒（１０）に対して全閉状態に閉じられることによって、上記第１リブ（１１Ａ）が全閉状態に閉じられるとともに、第２リブ（１１Ｂ）が連係リブ（１５）によって全閉状態に折り畳まれ、これにより上記傘骨（１１）が折り畳まれて傘布（２０）を裏向きにさせるようにしたことを特徴とする雨傘。
【請求項２】
基部に手元（１７）が取付けられ、先端に大径の係止部（１０Ｂ）が形成されるとともに石突（１６）が設けられ、後端側半部が中間の係止段部（１０Ａ）を介して大径に形成された中棒（１０）と、
該中棒（１０）の先端側半部に対し長手方向に摺動し得るとともに上記係止段部（１０Ａ）によって係止されて上記中棒（１０）の後端側半部への摺動を規制される上ろくろ（１２）と、
上記中棒（１０）に対し上記係止段部（１０Ａ）を越えて長手方向に摺動し得る下ろくろ（１３）と、
第１リブ（１１Ａ）の先端を第２リブ（１１Ｂ）の後端部近傍に回動可能に連結して折畳み可能に構成され、上記第１リブ（１１Ａ）の基部が上記上ろくろ（１２）に回動自在に連結された複数本の傘骨（１１）と、
先端が上記第１リブ（１１Ａ）の中央部に回動自在に連結され、基部が下ろくろ（１３）に回動自在に連結された複数本の受骨（１４）と、
該受骨（１４）の先端近傍と上記第２リブ（１１Ｂ）の後端に各々回動自在に連結された連係リブ（１４）と、
上記複数本の傘骨（１１）に装着された傘（２０）と、
を備えた請求項１記載の雨傘。
【請求項３】
上記石突（１６）は下方が開口した中空状をなし、上記傘骨（１１）が閉じられたときに上記石突（１６）内には上記傘骨（１１）の第２リブ（１１Ｂ）の先端が嵌め込まれるようになっている請求項２記載の雨傘。
【請求項４】
上記上ろくろ（１２）と下ろくろ（１３）との間にはばね部材（１８）が介在されて上記上ろくろ（１２）が上記下ろくろ（１３）の摺動によって押し引きされるようになっている請求項１又は２記載の雨傘。
【発明の詳細な説明】
【技術分野】
【０００１】
本発明は雨傘に関し、特にコスト高を招来することなく、通常の形態に開いた傘布を裏向きに閉じることができるようにした雨傘に関する。
【背景技術】
【０００２】
列車やバスなど混雑した場所に、濡れた雨傘を持ち込むと、雨傘の水滴によって他人の衣服などを濡らして迷惑をかける心配がある。勿論、雨傘専用のビニール袋やポリ袋を携帯し、濡れた雨傘をビニール袋やポリ袋に収納すれば、他人を濡らす心配はないが、ビニール袋やポリ袋は携帯し忘れることがある。
【０００３】
これに対し、閉じたときに傘布（カバー）を裏向きとし、傘布の濡れた面が他人に触れることがないようにした雨傘が提案されている（特許文献１、特許文献２）。
【先行技術文献】
【特許文献】
【０００４】
【特許文献１】特開平１１−１６４７１７号公報
【特許文献２】特開２００６−３３４３４４号公報
【発明の開示】
【発明が解決しようとする課題】
【０００５】
しかし、特許文献１記載の雨傘は機構的に無理があり、通常の形態に開いた傘布を裏向きにして閉じるのが困難である。
また、特許文献２記載の傘は傘骨の構造が複雑で、コスト高になり、実際の製品化は難しい。
【０００６】
この発明はかかる問題点に鑑み、コスト高を招来することなく、通常の形態に開いた傘布を裏向きに閉じることができるようにした雨傘を提供することを課題とする。
【課題を解決するための手段】
【０００７】
そこで、本発明に係る雨傘は、開いた傘布を裏向きに閉じることができるようにした雨傘において、傘布を受ける複数の各傘骨が第１リブの先端と第２リブの後端部近傍とを折畳み可能に連結して構成され、上記傘骨の第１リブの基部が上ろくろに回動自在に連結され、上記上ろくろが中棒に対して摺動可能に設けられ、受骨の基部が下ろくろに回動可能に連結され、上記受骨の先端が上記傘骨の第１リブに回動自在に連結され、上記受骨の先端部近傍と第２リブの後端とが連係リブで相互に連係されており、上記下ろくろが上記中棒の下部から上記中棒を上方に摺動されたときに、上記上ろくろが上方に押されて摺動されるとともに、上記中棒先端の係止部に係止され、上記下ろくろがさらに上方に摺動されたときに、上記受骨が斜め上方を指向して開くことによって、第１リブが中棒に対して開くとともに、上記連係リブが第２リブを傘布の張力に抗して第１リブに対して伸展させ、これにより上記傘骨が下向き円弧状をなして傘布を開く一方、上記下ろくろが上記中棒を下方に摺動されたときに、上記受骨が中棒に対して閉じることによって、上記第１リブが中棒に対して閉じ始めるとともに、上記連係リブが上記第２リブを第１リブに対して上方を指向するように折り畳み始め、上記下ろくろがさらに下方に摺動されたときに、上記上ろくろが下方に引っ張られて上記係止部から離脱し、下方に摺動されて中棒中段の係止段部によって下方への摺動を規制され、上記上ろくろの係止状態で上記下ろくろがさらに下方に摺動されたときに、上記受骨が中棒に対して実質的な全閉状態に閉じられることによって、上記第１リブが実質的な全閉状態に閉じられるるとともに、連係リブが第２リブを実質的な全閉状態に折り畳み、これにより上記傘骨が折り畳まれて傘布を裏向きにさせるようにしたことを特徴とする。
【０００８】
本発明の主たる特徴は、上ろくろを中棒先端に係脱可能に設け、上ろくろを中棒に対して摺動自在とし、傘骨を第１リブと第２リブとによって折畳み可能に構成し、受骨先端を第１リブに回動自在に連結するとともに、受骨の先端近傍と第２リブ後端とを連係リブで連係し、上ろくろを下ろくろによって押し引きして中棒に対して摺動させるようにした点にある。
【０００９】
これにより、傘骨を開いた状態で、下ろくろを下方に摺動させると、受骨が中棒に対して閉じることによって、第１リブが中棒に対して閉じ始め、連係リブが第２リブを第１リブに対して上方を指向するように折り畳み始める。
【００１０】
本発明の第２の特徴は中棒の中段に係止段部を形成し、上ろくろの下方への摺動を規制するようにした点にある。
【００１１】
これにより、上ろくろの下方摺動を規制して下ろくろのみを下方に摺動させることができる。その結果、下ろくろをさらに下方に摺動させると、中棒の中段で上ろくろの下方摺動が規制され、下ろくろの下方摺動に伴って、受骨がほぼ全閉状態（実質的な全閉状態）に閉じ、第１リブが中棒に対してほぼ全閉状態（実質的な全閉状態）に閉じ、連係リブが第２リブを第１リブに対してほぼ全閉状態（実質的な全閉状態）に折り畳み、傘骨は閉じられて傘布を裏向きにできる。
【００１２】
本発明の第３の特徴は上ろくろを中棒に対して摺動自在とし、上方に摺動されたときに中棒先端の係止部に係脱可能に係止されるようにした点にある。
【００１３】
これにより、下ろくろを上方に摺動させたときに受骨が斜め上方を指向して第１リブを開くとともに、連係リブが第１リブと第２リブを傘布の張力に抗して進展させて傘骨と傘布とを開くことができる一方、下ろくろを下方摺動させたときに受骨、第１リブ及び第２リブの閉じ動作を開始させてある程度まで閉じることができる。
【００１４】
本発明に係る雨傘は上述の特徴を備えていればよいが、具体的には次のように構成することができる。即ち、本発明に係る雨傘は、基部に手元が取付けられ、先端に係止部が形成されるとともに石突が設けられ、後端側半部が中間の係止段部を介して大径に形成された中棒と、該中棒の先端側半部に対し長手方向に摺動し得るとともに上記係止段部によって係止されて上記中棒の後端側半部への摺動を規制される上ろくろと、上記中棒に対し上記係止段部を越えて長手方向に摺動し得る下ろくろと、第１リブの先端を第２リブの後端部近傍に回動可能に連結して折畳み可能に構成され、上記第１リブの基部が上記上ろくろに回動自在に連結された複数本の傘骨と、先端が上記第１リブに回動自在に連結され、基部が下ろくろに回動自在に連結された複数本の受骨と、該受骨の先端近傍と上記第２リブの後端に各々回動自在に連結された連係リブと、上記複数本の傘骨に装着された傘と、を備えて構成されることができる。
【００１５】
傘骨の第２リブは傘布を裏向きにしたときフリーにしてもよいが、不意に開かないように注意する必要がある。そこで、ストラップなどによって傘骨を引き締めるようにしてもよいが、石突に玉留の機能を付与して保持することもできる。すなわち、石突は下方が開口した中空状となし、傘骨が閉じられたときに石突内には傘骨の第２リブの先端を嵌め込むように構成することができる。
【００１６】
上ろくろと下ろくろとは受骨と傘骨の第１リブとによって相互に連結されているので、下ろくろを上方に摺動させると、上ろくろも押されて上方に摺動し、下ろくろを下方に摺動させると、上ろくろも引っ張られて下方に摺動するが、受骨と傘骨の第１リブとが相互に回動可能に連結されているので、上ろくろの摺動が安定しない。そこで、上ろくろと下ろくろとの間にばね部材を介在させて上ろくろを下ろくろによって押し引きされるように構成すると、上ろくろ及び下ろくろの摺動が安定する。
【図面の簡単な説明】
【００１７】
【図１】本発明に係る雨傘の好ましい実施形態における開いた状態（ａ）、開く途中の状態（ｂ）及び閉じた状態（ｃ）を示す概略斜視図である。
【図２】傘布を省略した上記実施形態において傘骨を閉じた状態の全体構成及び要部拡大した構造を示す図である。
【図３】傘布を省略した上記実施形態において傘骨を開き始めた状態を示す全体構成図である。
【図４】傘布を省略した上記実施形態において傘骨が開いた状態を示す全体構成図である。
【図５】傘布を省略した上記実施形態において傘骨を閉じる途中の状態を示す全体構成図である。
【発明を実施するための形態】
【００１８】
以下、本発明を図に示す具体例に基づいて詳細に説明する。図１ないし図５は本発明に係る雨傘の好ましい実施形態を示す。本例の雨傘は基本的には中棒１０に複数本の傘骨１１を開閉自在に支持し、傘骨１１に傘布２０を装着して構成されるが、傘布２０は閉じたときに裏向きに閉じられるようになっている。
【００１９】
本例の雨傘の構造を説明すると、中棒１０の基部には例えばＪ字状の手元１７が固定され、中棒１０の先端部には石突１６が取付けられ、石突１６は下方が開口した中空状に形成されるとともに内底部にスポンジなどの吸水部材１６Ａが詰められ、傘を閉じたときに傘布の水滴を吸水して周囲を濡らさないようになっている。
【００２０】
また、中棒１０の先端には上ろくろ１２が嵌合して係止され得る大径の係止部１０Ｂが設けられ、中棒１０の後端側（手元側）半部は係止段部１０Ａを介して先端側半部に比較して大径に形成されている。
【００２１】
中棒１０には上ろくろ１２及び下ろくろ１３が上下にかつ中棒１０に沿って摺動し得るように装着され、上ろくろ１２と下ろくろ１３の間の中棒１０にはコイルばね１８が外装され、コイルばね１８の両端は上ろくろ１２及び下ろくろ１３に係止されている。
【００２２】
上ろくろ１２は中棒１０の先端側半部の外径よりも少し大きい内径の挿通穴に中棒１０を挿通して中棒１０に装着され、中棒１０の先端側半部に対し長手方向に摺動し得るが、中棒１０の係止段部１０Ａによって係止されて中棒１０の後端側半部への摺動が規制されるようになっている。
【００２３】
他方、下ろくろ１３は中棒１１の後端側半部の外径よりも少し大きい内径の挿通穴に中棒１１を挿通して中棒１０に装着され、中棒１０に対し係止段部１０Ａを越えて長手方向に摺動し得るようになっている。
【００２４】
複数の各傘骨１１は第１リブ１０Ａの先端を第２リブ１０Ｂの後端部近傍に回動可能に連結して折畳み可能に構成され、第１リブ１０Ａの基部は上ろくろ１２に回動自在に連結されている。
【００２５】
傘骨１１の第１リブ１０Ａの中間には受骨１４の先端が回動自在に連結され、受骨１４の基部は下ろくろ１３に回動自在に連結されている。この受骨１４の先端近傍と第２リブ１０Ｂの後端の各々には操作リブ１５の両端が各々回動自在に連結され、操作リブ１５は受骨１４の傾動に応じて傘骨１１の第２リブ１０Ｂを第１リブ１０Ａに対して進展・折曲げ操作するようになっている。
【００２６】
傘布２０を閉じた状態では図１の（ｃ）及び図２に示すように、傘骨１１の第１リブ１１Ａは受骨１４とともに中棒１０に対して閉じられ、第２リブ１１Ｂは第１リブ１０Ａに対して上方に折り畳まれ、傘布２０は裏向きになっている。上ろくろ１２は中棒１０の係止段部１０Ａによって係止されて下方への摺動が規制され、下ろくろ１３は中棒１０の下部近傍にあって、下はじき２１が下ろくろ１３の係止穴に嵌まり込んで係止され、傘骨１１の第２リブ１０Ｂの先端は石突１６内に挿入されている。
【００２７】
雨傘を開く場合、ボタン２２を指で押して下はじき２１を没入させ、下ろくろ１３を少し下方に摺動させて傘骨１１の第２リブ１１Ｂの先端を石突１６が引き抜いた後、図３に示されるように、下ろくろ１３を上方に摺動させる。すると、上ろくろ１２は下ろくろ１３の上方摺動に伴って受骨１４及び傘骨１１の第１リブ１０Ａの連係によって押されるとともに、コイルばね１８の付勢力によっても押され、これによって上ろくろ１２は上方に摺動され、中棒１０先端まで達すると、中棒１０先端の係止部１０Ｂに嵌合して係止される。
【００２８】
上ろくろ１２が係止部１０Ｂに嵌合して係止された後、下ろくろ１３をさらに上方に摺動させると、今度は受骨１４が上方に押され、図４の矢印Ａに示されるように基部を中心にして斜めになるように開き、それに伴って受骨１４が傘骨１１の第１リブ１１Ａを押して図４の矢印Ｂに示されるように上ろくろ１２を中心にして上方に回動させるとともに、連係リブ１５が図４の矢印Ｃに示されるように傘骨１１の第１リブ１１Ａと第２リブ１１Ｂとを傘布２０の張力に抗して相互に伸展させ、これにより傘骨１１は図４に示されるように下向き円弧状をなし、傘布２０は図１の（ａ) に示されように開かれ、下ろくろ１３はその下端が突き出た上はじき（図示せず）によって係止され、雨傘は開いた状態に保持される。
【００２９】
雨傘を閉じる場合、指で押して上はじきを没入させ、下ろくろ１３の係止を解除した後、下ろくろ１３を下方に摺動させる。すると、上ろくろ１２は中棒１０先端の係止部１０Ｂに嵌合係止されているので、受骨１４は図５の矢印Ｄに示されるように下ろくろ１３の下方摺動に伴って中棒１０に対して閉じ始め、傘骨１１の第１リブ１１Ａも図５の矢印Ｅに示されるように上ろくろ１２の中心にある程度まで閉じ、第２リブ１１Ｂは図５の矢印Ｇに示されるように第１リブ１１Ａに対してある程度まで折り畳まれ、傘布２０は図１の（ｂ）に示されるようにある程度まで閉じた状態になる。
【００３０】
下ろくろ１３がさらに下方に摺動されると、受骨１４と第１リブ１１Ａの連係及びコイルばね１８のばね力によって上ろくろ１２が中方１０先端の係止部１０Ｂから外れ、傘骨１１が図５に示されるようにある程度閉じた状態で上ろくろ１２は下方に摺動され、上ろくろ１２が中棒１０の係止段部１０Ａに達すると、係止されて上ろくろ１２の下方への摺動を規制される。
【００３１】
その状態で下ろくろ１３がさらに下方に摺動されると、受骨１４が下ろくろ１３を中心に中棒１０に対してほぼ全閉の状態に閉じ、この受骨１４は傘骨１１の第１リブ１１Ａを上ろくろ１２の中心に中棒１０に対してほぼ全閉の状態に閉じ、第２リブ１１Ｂは連係リブ１５によって第１リブ１１Ａに対してほぼ全閉の状態に折り畳まれる。
【００３２】
下ろくろ１３の中棒１０に沿った下方摺動が完了すると、傘骨１１は完全に折り畳まれて傘布２０を裏向きに閉じるので、下ろくろ１３を少し上方に摺動させて傘骨１１の第２リブ１０Ｂの先端を石突１６内に差し込んで保持し、又下ろくろ１３を下はじき２１によって係止すると、図１の（ｃ）及び図２に示される状態に閉じることができる。
【００３３】
なお、傘骨１１が完全に閉じにくい場合には第１リブ１１Ａと第２リブ１１Ｂとの連結部にコイルばねを介在させ、第２リブ１１Ｂが第１リブ１１Ａに対して完全に折り畳まれるように回動付勢するようにしてもよい。
【００３４】
また、中棒１０は伸縮可能に構成することもできる。この場合、ボタン２２をなくして指で下はじき２１を没入操作するように構成するのがよい。
【符号の説明】
【００３５】
１０      中棒
１０Ａ    係止段部
１０Ｂ    係止部
１１      傘骨
１１Ａ    第１リブ
１１Ｂ    第２リブ
１２      上ろくろ
１３      下ろくろ
１４      受骨
１５      操作リブ
１８      コイルばね
２０      傘布
【図１】
0005912535.tif 000002
【図２】
0005912535.tif 000003
【図３】
0005912535.tif 000004
【図４】
0005912535.tif 000005
【図５】
0005912535.tif 000006